(57)【要約】【課題】剤自給シーケンス時に水タンク側に洗浄液が入ってしまうことがないものとする。【解決手段】洗剤等の洗浄液を保持している洗浄液保持部６と、温水タンク８内の洗浄水を洗浄ノズル部５に供給する給水経路に上記洗浄液保持部からの洗浄液を注入する洗浄液注入部とを備えるとともに、洗浄液保持部内の洗浄液のみの給送を行った後に洗浄水のみを給送して給水経路中の洗浄液を洗い流す剤自給シーケンスを備える。剤自給シーケンスはその開始時に洗浄液の給送と同時に洗浄水の給送を行う。洗浄水の給送を同時に行うことで、温水タンク側への洗浄液の流入を防ぐ。【選択図】図１
2005351052.tif 000002
【特許請求の範囲】
【請求項１】
洗剤等の洗浄液を保持している洗浄液保持部と、温水タンク内の洗浄水を洗浄ノズル部に供給する給水経路に上記洗浄液保持部から上記給水経路に洗浄液を注入する洗浄液注入部とを備えるとともに、洗浄液保持部内の洗浄液のみの給送を行った後に洗浄水のみを給送して給水経路中の洗浄液を洗い流す剤自給シーケンスを備えた局部洗浄装置において、剤自給シーケンスはその開始時に洗浄液の給送と同時に洗浄水の給送を行うものとなっていることを特徴とする局部洗浄装置。
【請求項２】
洗浄液の温度もしくは粘度を検出するセンサ−を備えるとともに該センサによる温度もしくは粘度検出結果に応じて剤自給シーケンスにおける洗浄液供給時間を変化させていることを特徴とする請求項１記載の局部洗浄装置。
【請求項３】
給水経路中の温水タンクと洗浄液注入部との間に逆止弁を設けていることを特徴とする請求項１または２記載の局部洗浄装置。
【請求項４】
洗浄ノズル部が複数種の洗浄ノズルを備えるとともにこれら洗浄ノズルに選択的に流路を切り替える流路切替部を備え、剤自給シーケンスにおける洗浄液供給時は流路切替部は圧力損失が最も小さい流路に切り替えられていることを特徴とする請求項１〜３のいずれか１項に記載の局部洗浄装置。
【発明の詳細な説明】
【技術分野】
【０００１】
本発明は、人体局部を洗浄するための局部洗浄装置に関するものである。
【背景技術】
【０００２】
局部洗浄装置は、温水である洗浄水だけで局部の洗浄を行っていたが、近年、より衛生的な洗浄を行うために、洗剤等の洗浄液を洗浄用の温水に混合して洗浄ノズルから噴射するようにしたものが提供されている。
【０００３】
この洗浄液洗浄を行うものにおいては、洗浄液を入れた剤タンクの交換あるいは洗浄液の補給時など、洗浄液の供給経路に洗浄液が無くなっている場合のことを考慮して、洗浄水の給送を行うことなく、洗浄液のみを供給して洗浄液用の供給経路に洗浄液を満たすとともに、その後、洗浄水のみをしばし給送して洗浄ノズルに至るまででの流路中に入った洗浄液を洗い流す剤自給シーケンスを設けていた。
【０００４】
しかし、断水や大元の止水栓の開け忘れ等のために温水タンクから洗浄液を混合する部分までの洗浄水の給水経路中に洗浄水が無くなっている時に上記の剤自給シーケンスが実行されると、洗浄液が温水タンク側に入ってしまうことがあるとともに、このような事態になると、洗浄水のみで洗浄したい時にも洗浄液が混じったものとなってしまって、使用者にしてみれば非常に困った状態となる上に、洗浄液を温水タンクから洗い流すには多量の洗浄水が必要となる。
【特許文献１】特開２００３−３４２９９６号公報
【発明の開示】
【発明が解決しようとする課題】
【０００５】
本発明は上記の従来の問題点に鑑みて発明したものであって、剤自給シーケンス時に水タンク側に洗浄液が入ってしまうことがない局部洗浄装置を提供することを課題とするものである。
【課題を解決するための手段】
【０００６】
上記課題を解決するために本発明に係る局部洗浄装置は、洗剤等の洗浄液を保持している洗浄液保持部と、温水タンク内の洗浄水を洗浄ノズル部に供給する給水経路に上記洗浄液保持部から上記給水経路に洗浄液を注入する洗浄液注入部とを備えるとともに、洗浄液保持部内の洗浄液のみの給送を行った後に洗浄水のみを給送して給水経路中の洗浄液を洗い流す剤自給シーケンスを備えた局部洗浄装置において、剤自給シーケンスはその開始時に洗浄液の給送と同時に洗浄水の給送を行うものとなっていることに特徴を有している。洗浄水の給送を同時に行うことで、温水タンク側への洗浄液の流入を防ぐようにしたものである。
【０００７】
洗浄液の温度もしくは粘度を検出するセンサ−を備えるとともに該センサによる温度もしくは粘度検出結果に応じて剤自給シーケンスにおける洗浄液供給時間を変化させていることも、温水タンク側への洗浄液の流入防止において効果がある。
【０００８】
また、給水経路中の温水タンクと洗浄液注入部との間に逆止弁を設けていると、更に確実に温水タンクに洗浄液が流入してしまうことがない。
【０００９】
洗浄ノズル部が複数種の洗浄ノズルを備えるとともにこれら洗浄ノズルに選択的に流路を切り替える流路切替部を備え、剤自給シーケンスにおける洗浄液供給時は流路切替部は圧力損失が最も小さい流路に切り替えられていると、温水タンク側への洗浄液の流入防止に有効である。
【発明の効果】
【００１０】
本発明は、剤自給シーケンスでの洗浄液の給送時に洗浄水の給送を同時に行うために、温水タンクからの洗浄水の供給経路中に洗浄水が入っていない時でも、温水タンク側に洗浄液が流入してしまうことがないものである。
【発明を実施するための最良の形態】
【００１１】
以下本発明を実施の形態の一例に基づいて詳述すると、局部洗浄装置としての基本的構成は前記従来例とほぼ同じで、図２に示すように局部洗浄機構を有する局部洗浄装置本体Ａと、使用者が洗浄方法等を選択操作するための操作部２と、使用者が座るための便座３、便蓋４、洗浄ノズル部５、洗浄液を納めた洗浄液保持部である剤タンク６、着座センサー７などから構成されているとともに、操作部２からの信号に応じて便座温度や洗浄水温度や洗浄流量等を制御するための制御回路Ｃ（図３参照）を備えている。
【００１２】
この局部洗浄装置における配管系統を図３に示す。水道等の水源１と洗浄ノズル部５とをつなぐ給水経路１０中に、給水弁９と給水加熱用のヒータＨを備えた温水タンク８と洗浄液注入用の混合分岐栓１２と流路切替弁２０をこの順に挿入してある。また、上記剤タンク６と混合分岐栓１２とは剤供給経路１３によって接続して、剤供給経路１３には剤タンク６側に剤ポンプ１１を、混合分岐栓１２側に逆止弁１４を挿入して、剤ポンプ１１と混合分岐栓１２とで剤注入手段を構成してある。
【００１３】
給水経路１０の末端の洗浄ノズル部５は、おしり洗浄ノズル５１とビデ洗浄ノズル５２の他に、両ノズル５１，５２に向けて洗浄水を噴射するノズル洗浄ノズル５４を備えたものであり、またおしり洗浄ノズル５１とビデ洗浄ノズル５２の２つは、水圧で伸張してから洗浄水を吐出し、洗浄水の供給が停止されたならば内蔵するばねで縮むものとして形成されている。
【００１４】
上記給水弁９やヒータＨや剤ポンプ１１及び流路切替弁２０は前記制御回路Ｃの制御下にあり、制御回路Ｃからの出力に応じて作動するのであるが、操作部２からの指示で制御回路Ｃが前記剤自給シーケンスを実行する場合、制御回路Ｃは剤ポンプ１１のみを駆動していた従来の場合と異なり、剤ポンプ１１の駆動と同時に給水弁９をしばし開いて洗浄水の給送を同時に行って、洗浄液が温水タンク８側に入ってくることを防ぐ。そして剤ポンプ１１を停止させた後、再度給水弁９を開いて洗浄水の供給を行って、給水経路１０中の洗浄液を洗い流す。
【００１５】
なお、剤自給シーケンスを途中で停止させるスイッチを備えて、図１(b)に示すように剤ポンプ１１の駆動が途中で停止させることができるようになっている場合も、制御回路Ｃは続く給水弁９を開いての洗浄水供給で洗浄液を洗い流す動作を完遂するようにしてある。また、剤自給シーケンスの動作が完了する前に他の動作の指示がなされた時、制御回路Ｃは洗浄液を洗い流す動作を含む剤自給シーケンスが完了するまで、指示された他の動作に移行しないようにしてある。
【００１６】
また、剤タンク６から混合分岐栓１２に至る剤供給経路１３は、混合分岐栓１２よりも重力方向において下方に設置しているとともに、剤供給経路１３の混合分岐栓１２への接続口も下方側に位置させている。この点においても洗浄液が温水タンク８側に流れ込むおそれを小さくしている。
【００１７】
図４に他例を示す。これは給水経路１０中の混合分岐栓１２の前段に逆止弁２４を挿入することで、洗浄液が温水タンク１０側に流れることをより確実に防ぐことができるようにしたものである。
【００１８】
また、図４に示すように、剤タンク６内に洗浄液の温度や粘度を検出するセンサー２３を設けて、洗浄液の温度が低かったり粘度が高かった場合には上記剤自給シーケンスにおける剤ポンプ１１の駆動時間を長くし、洗浄液の温度が高かったり粘度が低かった場合には上記剤自給シーケンスにおける剤ポンプ１１の駆動時間を短くすることも好ましい。図５(a)は剤温度が０℃、図５(b)は剤温度が４０℃の場合の制御例を示している。温度が高くて粘度が低い場合、温水タンク６側に洗浄液が流れやすくなるが、温度もしくは粘度に比例して（もしくは段階的に）駆動時間を短くしているために、温水タンク８側への洗浄液流入を防ぐことができる。
【００１９】
この他、剤自給シーケンス中の剤ポンプ駆動時、特に洗浄液の給送のみが行われる時には、流量切替弁２０は洗浄ノズル部５における複数の洗浄ノズルのうち、最も圧力損失が少ない洗浄ノズル（図６に示す例ではおしり洗浄ノズル）に流路を切り替えるようにしておくことも望ましい。温水タンク８側に洗浄液が流れるおそれを更に小さくすることができる。
【図面の簡単な説明】
【００２０】
【図１】(a)(b)は夫々本発明の実施の形態の一例の動作説明図である。
【図２】同上の斜視図である。
【図３】同上のブロック図である。
【図４】他例のブロック図である。
【図５】(a)は洗浄液温度が低い時の動作説明図、(b)は洗浄液温度が高い時の動作説明図である。
【図６】更に他例の動作説明図である。
【符号の説明】
【００２１】
５  洗浄ノズル部
６  剤タンク
１０  給水経路
１１  剤ポンプ
２０  流路切替弁
Ｃ  制御回路
【図１】
2005351052.tif 000003
【図２】
2005351052.tif 000004
【図３】
2005351052.tif 000005
【図４】
2005351052.tif 000006
【図５】
2005351052.tif 000007
【図６】
2005351052.tif 000008